(57)【特許請求の範囲】
【請求項１】
写真画像のプリントを作製するための処理を行う写真処理装置に対してそれの動作を設定指示するために、設定項目とその設定項目についての設定入力情報とを表示するモニターと、そのモニターを制御するモニター制御手段とが備えられた写真処理装置用の動作設定装置であって、
前記設定項目の設定入力情報として予め既定情報が設定され、
前記モニター制御手段は、
前記設定項目についての前記設定入力情報として前記既定情報を初期表示し、且つ、前記設定入力情報が更新されたときはその更新後の設定入力情報を表示すると共に、
モニターに表示されている前記設定入力情報を前記既定情報に戻すための指示を入力操作する入力操作案内をアイコン表示し、
そのアイコン表示を、モニターに表示されている前記設定入力情報が前記既定情報に一致するときと一致しないときとで表示状態を異ならせるように構成されている写真処理装置用の動作設定装置。
【請求項２】
前記モニター制御手段は、アイコン表示される前記入力操作案内を、モニターに表示されている前記設定入力情報が前記既定情報に一致しないときは高コントラスト表示し、且つ、前記既定情報に一致するときは低コントラスト表示するように構成されている請求項１記載の写真処理装置用の動作設定装置。
【請求項３】
前記モニター制御手段は、前記モニターの１画面に複数の設定項目について表示し、且つ、前記アイコン表示される入力操作案内を前記モニターの１画面に１個表示し、その入力操作案内が操作されたことを検出するに伴って、その１画面に表示されている設定項目のうちの複数個の設定項目の前記設定入力情報を前記既定情報に戻すように構成されている請求項１又は２記載の写真処理装置用の動作設定装置。
【発明の詳細な説明】
【０００１】
【発明の属する技術分野】
本発明は、写真画像のプリントを作製するための処理を行う写真処理装置に対してそれの動作を設定指示するために、設定項目とその設定項目についての設定入力情報とを表示するモニターと、そのモニターを制御するモニター制御手段とが備えられた写真処理装置用の動作設定装置に関する。
【０００２】
【従来の技術】
かかる写真処理装置用の動作設定装置は、写真処理装置が写真画像のプリントを作製する動作をするときの動作の態様を設定するためのものであり、オペレータがこの設定作業を行うのを補助するために、モニターに設定項目とその設定項目についての設定入力情報すなわちどのような指示が入力されているかを示す情報とが表示される。
従って、従来、オペレータはモニターの表示を見ながら設定項目について入力操作を行い、その入力情報を修正する必要があるときは再度入力操作を行っていた。
【０００３】
【発明が解決しようとする課題】
従って、上記従来構成では、オペレータが設定項目についての入力情報を変更操作したときは、入力情報を元の入力情報に戻そうとする場合には、その元の設定を覚えていなければならず、又、入力操作を繰り返していると入力情報が元の入力情報から変更されているのかあるいは元の入力情報に戻っているのかわからなくなる場合もあり、写真処理装置の動作の態様の設定操作が煩雑となる不都合があった。
本発明は、上記実情に鑑みてなされたものであって、その目的は、写真処理装置の動作の設定作業を簡単に行えるようにする点にある。
【０００４】
【課題を解決するための手段】
上記請求項１記載の構成を備えることにより、前記設定項目の設定入力情報として予め既定情報すなわちいわゆるデフォルト情報が設定され、モニターには設定項目についての設定入力情報として前記既定情報を初期表示する。そして、オペレータが入力操作して設定入力情報を更新したときはその更新後の設定入力情報が表示される。
オペレータは、設定入力情報を更新した後、モニターにアイコン表示される入力操作案内を操作することにより設定入力情報をデフォルトの状態に戻すことができ、デフォルトの状態から再度設定し直すことができる。
【０００５】
この入力操作案内はオペレータによる更新入力によって表示状態が変化し、オペレータはその入力操作案内を見て設定項目の設定情報がデフォルトから変化していることを一見して把握できると共に、更に入力操作を繰り返すことによりデフォルトに戻った場合は、入力操作案内もデフォルト状態であることを示す表示状態に戻り、オペレータはその入力操作案内をみて設定がデフォルトに戻っていることを一見して把握できる。
もって、モニターにアイコン表示される入力操作案内に、設定をデフォルトに戻すための機能と設定がデフォルトから変化しているか否かを確認するための機能とを集積することで、写真処理装置の動作の設定作業を簡単に行えるようにするに至った。
【０００６】
又、上記請求項２記載の構成を備えることにより、モニターにアイコン表示される入力操作案内は、モニターに表示されている設定入力情報が既定情報すなわちデフォルト情報に一致しないときは高コントラスト表示し、且つ、デフォルトに一致するときは低コントラスト表示するので、設定入力情報がデフォルトに一致しておりデフォルトに戻す操作が無意味なときは、入力操作案内の存在感を弱くすることで入力操作案内を操作しても意味のないことが直感的に理解できるようにしている。
もって、写真処理装置の動作の設定作業をより一層簡単に行えるようにできる。
【０００７】
又、上記請求項３記載の構成を備えることにより、モニターの１画面には複数の設定項目について表示されるが、アイコン表示される入力操作案内はモニターの１画面に１個だけ表示され、その入力操作案内が操作されたことを検出するに伴って、その１画面に表示されている設定項目のうちの複数個の設定項目の設定入力情報を既定情報すなわちデフォルト情報に戻す。
このようにモニターの１画面に複数の設定項目が表示される場合では、複数の項目について元の設定入力情報を覚えておくことは容易ではなく、上述のようにアイコン表示される入力操作案内によってデフォルトの状態に戻せることが極めて有効であり、しかも、１個の入力操作案内に対する操作のみによってその画面の設定項目のうちの複数個についてデフォルトに戻すことができるので、操作が一層簡単化される。
【０００８】
【発明の実施の形態】
以下、本発明の写真処理装置用の動作設定装置を写真処理装置の一例である写真デジタルプリンタに適用した場合の実施の形態を図面に基づいて説明する。
写真デジタルプリンタＰＰは、図１にそれの外観斜視図を又図２に概略ブロック図を示すように、写真フィルム１（以下、単に「フィルム１」と略記する）のコマ画像をデジタル画像データとして取得するフィルムスキャナ３と、取得されたデジタル画像データを処理してプリントデータを作成するコントローラ６と、このプリントデータに基づいて印画紙２にコマ画像に対応する画像を露光する露光エンジン４と、露光された印画紙２を現像処理する現像処理部５とを備えている。現像処理部５で現像された印画紙２は、乾燥工程を経て複写画像を有する仕上がりプリントとして排出される。
【０００９】
コントローラ６には、各種処理情報を表示するモニター６ａや各種処理命令を入力するための操作卓６ｂ、さらにはメモリーカードやＭＯやＦＤなどの画像データ記録メディアから画像データを受け付けたり、通信回線を介して伝送されてくるデジタル画像データを受け付ける外部画像入力部６ｃが接続されている。この外部画像入力部６ｃが設けられていることにより、写真デジタルプリンタＰＰは、入力される原画像としてフィルム１だけでなく、デジタルカメラによって撮影された写真画像や、コンピュータグラフィックソフトなどで作成されたＣＧ画像をも取り扱うことができる。
【００１０】
フィルムスキャナ３は、図２に示すように、ハロゲンランプ３０から出射した光ビームを調光フィルタ３１及びミラートンネル３２によって色分布や強度分布を整えてフィルム１に照射する照明光学系３ａと、反射ミラー３３にてフィルム１の透過光の進路を９０度屈曲させると共にズームレンズ３４にてフィルム１の透過光像を後述の光電変換部３ｃの受光面に結像する撮像光学系３ｂと、フィルム１の透過光像を光電変換する光電変換部３ｃと、フィルム１を搬送するフィルム搬送機構７とが備えられて構成されている。
【００１１】
光電変換部３ｃは、それ自体公知の、ＣＣＤセンサユニット、サンプルホールド（Ｓ／Ｈ）回路、Ａ／Ｄ変換器、センサ駆動回路などから構成されている。ＣＣＤセンサユニットは、３つのＣＣＤセンサから構成され、各ＣＣＤセンサは多数（例えば５０００個）のＣＣＤ素子が主走査方向、つまりフィルム１の幅方向に配列されたラインセンサであり、センサ駆動回路により主走査時に電荷蓄積動作や電荷蓄積時間の制御が行われる。各ＣＣＤセンサの撮像面には、それぞれ光ビームの青色成分、赤色成分、緑色成分のみを通過させるカラーフィルタが設けられており、それぞれ、青色成分、赤色成分、緑色成分のみを光電変換する。光電変換部３ｃで取得されたＲ・Ｇ・Ｂ信号としてのデジタル画像データはコントローラ６へ送られる。
【００１２】
露光エンジン部４は、図示を省略するが、ハロゲンランプからの光をＲ・Ｇ・Ｂの各カラーフィルタを周方向に配列した回転フィルタに入射し、その透過光ビームを多数のマイクロミラーを備えたマイクロミラーデバイスに照射して、プリントする画像に対応して各マイクロミラーが駆動されたマイクロミラーデバイスの像を結像レンズユニットにて印画紙２上に結像させることで所望の画像を印画紙２に露光する。
【００１３】
印画紙２は印画紙マガジン１０にロール状態で収納されており、印画紙マガジン１０に収納されている印画紙２は印画紙搬送機構８にて写真デジタルプリンタＰＰの筐体内へ引き出されて、露光エンジン４による露光位置を経由して振り分け装置９まで搬送される。印画紙マガジン１０から引き出された印画紙２は、露光エンジン４による露光位置に至るまでにカッター１１によってプリントサイズに応じて適正長さに切断される。
振り分け装置９は、印画紙搬送機構８によって印画紙２が１列で搬送されている状態から、現像処理部５において３列で搬送される状態に移行させるために、印画紙搬送機構８から受け取った印画紙１を下流側の３列の搬送列に振り分ける。この振り分け処理により印画紙２に対する露光エンジン４を用いた短い露光時間と化学的処理を必要とするがゆえの現像処理部５での長い現像時間を調節する。
【００１４】
上記の写真デジタルプリンタＰＰを構成する各部がオペレータの所望通りの動作をするためにはオペレータが動作の設定を行う必要があり、上記のコントローラ６，モニター６ａ及び操作卓６ｂを主要部分として写真デジタルプリンタＰＰの動作設定装置が構成されている。
この動作設定装置の作動を、どのような画像を基にどのようなプリントを作製するのかを設定（以下、この設定を「プリントチャンネルの設定」と略称する場合がある）する場合を例にとって説明する。
【００１５】
装置の稼働中に操作卓６ｂからの指示入力によってプリントチャンネルの設定を行うためのモードに移行し、プリントチャンネルの設定においては、モニタ制御手段として機能するコントローラ６の制御によりモニター６ａに図３に示す表示がなされる。ここで、プリントチャンネルとは、画像情報をどのように取得してどのように出力するかについての一連のプロセスを一つのチャンネルとして登録したものであり、もともと装置に登録されているチャンネルの他に、オペレータが任意に登録したものが存在する。
【００１６】
図３に示す設定画面の例では、複数の設定項目とその設定項目についての設定入力情報とを表示している。具体的に説明すると、画面左側部分では、モニター画面に表示されているプリントチャンネルの名称を表示すると共に右端のスクロールボタン４０ａを操作することにより画面表示するプリントチャンネルを切り換えるチャンネル表示ボックス４０、印画紙２のプリントを作製するか否かを指示入力するためのプリントチェックボックス４１ａ、プリントチェックボックス４１ａがチェックされて印画紙２にプリントする場合に１画像あたりのプリント枚数を入力するためのプリント枚数入力ボックス４１ｂ、いわゆるインデックスプリントを作製するか否かを指示入力するためのインデックスチェックボックス４２ａ、インデックスプリントを作製する場合にそのプリント枚数を入力するインデックスプリント枚数入力ボックス４２ｂ、インデックスプリントに印字する日付を入力する日付入力ボックス４２ｃ、印画紙２以外のメディアへ出力するか否かを指示入力するためにメディア出力チェックボックス４３ａ、出力対象のメディアを特定するための出力メディア切換えボタン４３ｂ、メディアに出力するときに画素数を表示するサイズ表示ボックス４３ｃ、メディアに出力する画像の圧縮率を表示する圧縮率を表示する圧縮率表示ボックス４３ｄ、上記サイズ表示ボックス４３ｃ及び圧縮率表示ボックス４３ｄの設定を変更するための設定変更ボタン４３ｅが表示されている。尚、プリント枚数入力ボックス４１ｂや日付入力ボックス４２ｃ等には、チャンネル表示ボックス４０と同様にスクロールボタンやプルダウンメニューボタンが備えられて設定入力を容易にしている。
【００１７】
又、画面右側部分では、画像の入力元を指定する入力元設定ボタン４４、入力された画像をオペレータが一枚ずつモニター画面で確認しながら必要な修正を行うプレジャッジモードとオペレータによらずにコントローラが自動的に必要な修正を行うオートモードとの切換えを入力するためのプリント方式切換えボタン４５、印画紙２にプリント又は他のメディアに出力する画像に縁取り等の装飾を付与するか否かを設定するためのフレーム指示ボタン４６、フィルムスキャナ３で使用するフィルムマスク（図２では図示を省略している）の名称を表示するマスク表示ボックス４７、装置で使用される二つの印画紙マガジン１０に収納されている印画紙２のサイズ及び残りの長さを表示する二つの印画紙サイズ表示ボックス４８ａ，４８ｂ、フィルムマスクや印画紙２のサイズを変更するための変更ボタン４９が表示されている。
【００１８】
更に、チャンネル表示ボックス４０の左側には、各設定を予め定められた既定情報すなわちデフォルト情報に戻すための入力操作案内であるデフォルトボタン５０がアイコン表示されている。このデフォルト情報は、モニター６ａに表示される設定項目夫々について設定されており、このデフォルト情報が初期表示される。デフォルト情報としては例えば図３に示されているプリントチャンネルの場合では、一部のデフォルトを抜粋して説明すると、プリントチェックボックス４１ａ，インデックスチェックボックス４２ａ及びメディア出力チェックボックス４３ａがチェックされると共に、プリント枚数入力ボックス４１ｂ及びインデックスプリント枚数入力ボックス４２ｂには「１」が設定され、出力メディア切換えボタン４３ｂはフロッピーディスクが設定されてボタンのアイコンにフロッピーディスクに対応する図柄を示している。
【００１９】
デフォルトボタン５０は、上述のように各設定をデフォルトに戻すための指示を入力するボタンとしての機能の他に、各設定項目のうちの複数個の設定（本実施の形態では全ての設定項目の設定）がデフォルトの状態を維持しているか、あるいは、デフォルトの状態と異なっているかを示す機能を有している。すなわち、デフォルトボタン５０は、図４（イ）に示すデフォルト状態と一致している表示状態と、図４（ロ）に示すデフォルト状態と異なっている表示状態とに変化する。デフォルト状態と異なっているときは、デフォルトボタン５０を高いコントラストで表示することによってその存在を明示し、デフォルト状態と一致しているときは、デフォルトボタン５０を低いコントラストで表示することによってボタンとして入力を受け付ける状態にはないことをオペレータに明示する。
【００２０】
このデフォルトボタン５０に関するコントローラ６の制御について図５及び図６のフローチャートに基づいて概略的に説明する。
先ず、デフォルトボタン５０がオペレータの操作対象となった場合の処理を図５のフローチャートに基づいて説明する。
コントローラ６は、デフォルトボタン５０が図４（ロ）に示す表示状態にあるときに図５のフローチャートの処理を実行しており、通常はデフォルトボタン５０が押し操作されたか否かを監視している（ステップ＃１）。尚、デフォルトボタン５０の押し操作は例えばマウスカーソルにてデフォルトボタン５０の表示位置を指示した状態でマウス（図示せず）のボタンを押し操作することによって行える。
【００２１】
デフォルトボタン５０が押し操作されると（ステップ＃１）、デフォルトボタン５０のアイコン表示にボタンが押し操作された動きを表示させた後、モニター６ａに表示している設定項目のうちの複数個（本実施の形態では、全て）についての設定入力情報を記憶しているメモリのデータをデフォルトのデータによって更新すると共に、モニター画面上においても各設定項目について、表示している設定入力情報をデフォルトのデータに更新し（ステップ＃２）、更に、デフォルトボタン５０の表示状態を図４（ロ）に示すものから図４（イ）に示すものに変更する。
【００２２】
次に、モニター画面の各設定項目が操作対象となった場合の処理を図６のフローチャートに基づいて説明する。
コントローラ６は、上記デフォルトに戻す処理の対象となる設定項目（本実施の形態では全ての設定項目）についての設定入力情報が変更されたか否かを常時監視しており（ステップ＃１１）、設定が変更されたときは変更後のモニター画面に表示されている上記監視対象の設定項目についての設定入力情報がデフォルトの状態と一致しているか否かを判断し（ステップ＃１１）、デフォルト状態と一致しなければデフォルトボタン５０の表示状態を図４（ロ）に示す高コントラストの表示状態し（ステップ＃１３）、デフォルト状態と一致すればデフォルトボタン５０の表示状態を図４（イ）に示す低コントラストの表示状態とする。
【００２３】
〔別実施形態〕
以下、本発明の別実施形態を列記する。
▲１▼  上記実施の形態では、本発明を写真処理装置の一例である写真デジタルプリンタＰＰに適用した場合を例示しているが、写真フィルム現像装置や、フィルムスキャナ３が単独の装置として使用される場合に適用しても良い。
▲２▼  上記実施の形態では、デフォルトボタン５０の表示状態を異ならせるについて、高コントラストによる表示と低コントラストによる表示による場合を例示しているが、デフォルトボタン５０を点滅させる表示状態と定常的に表示させる表示状態とに切り換える等、表示状態を異ならせる態様は種々変更可能である。
【図面の簡単な説明】
【図１】本発明の実施の形態にかかる写真処理装置の外観斜視図
【図２】本発明の実施の形態にかかる写真処理装置のブロック構成図
【図３】本発明の実施の形態にかかるモニター画面表示例
【図４】本発明の実施の形態にかかるモニター画面表示の要部拡大図
【図５】本発明の実施の形態にかかるフローチャート
【図６】本発明の実施の形態にかかるフローチャート
【符号の説明】
ＰＰ  写真処理装置
６    モニター制御手段
６ａ  モニター
５０  入力操作案内
【図１】
0004251249.tif 000002
【図２】
0004251249.tif 000003
【図３】
0004251249.tif 000004
【図４】
0004251249.tif 000005
【図５】
0004251249.tif 000006
【図６】
0004251249.tif 000007